(57)【特許請求の範囲】
【請求項１】
４本の脚で工作物を支持する構造であって、前記４本の脚は前記工作物に固着する２本の脚と、円弧を有する湾曲部で連接する２本の脚とからなり、前記湾曲部と前記工作物を円弧方向に摺動できるように接続する事を特徴とする４脚安定設置構造。
【請求項２】
４本の脚で工作物を支持する構造であって、前記４本の脚は前記工作物に固着する２本の脚と、円弧を有する湾曲部で連接する２本の脚とからなり、前記湾曲部と前記工作物を円弧方向に摺動できるように接続し、前記工作物に固着する２本の脚に高さ調整装置を装備する事を特徴とする４脚水平設置構造。
【発明の詳細な説明】
【０００１】
【発明が属する技術分野】
本発明は、屋内外などの不整地でも、工作物を簡単に安定して設置または水平に設置できる４脚の支持構造に関するものである。
【０００２】
【従来の技術】
アウトドアなどの屋外で使用される椅子、テーブル、バーベキューコンロ、クッキングコンロのスタンドなどや作業現場で使用される脚立などの、４脚で支持される工作物を設置したとき、４脚すべてが接地せずにガタツク事が多い、また４脚が接地しても傾斜してしまうなどの問題点があった、同様の事が室内の家具などにも見られる。
【０００３】
この問題を解決するために多く見られる技術には、４脚夫々に高さ調節装置を設け調節する方法や、脚立では階段や急傾斜用として実開昭５１−１３３４３５号公報が開示されている。
【０００４】
【発明が解決しようとする課題】
しかし、４脚夫々の高さを調節して安定させるには、接地してない１脚もしくはその対角の２脚を接地するまで伸ばし安定させなければならない、また水平に設置するためには、１脚を基準に他の３脚を伸縮させる作業を数回繰り返し、その都度脚間を移動して４脚を接地させ尚且つ水平にしなければならず、非常に手間のかかる作業である。
【０００５】
また、脚立の安定技術としては実開昭５１―１３３４３５号公報などにあるような、脚立の両方の梯子部の下部に半円形の湾曲脚を摺動可能に接続し、湾曲脚を任意の位置で固定する固定装置を用いた技術があるが、両湾曲脚の固定装置の両方少なくとも一方を確実に固定しなければ、上部の梯子部が円弧状に可動してしまい危険であり、そのため固定装置を堅固にする必要があるほか、湾曲部を両方に装備するなど複雑で重量がかさんでしまう問題点があった。
【０００６】
そこで、本発明では前記の課題を解決し、不整地でも簡単な作業で４脚で支持される工作物を設置できる、４脚安定設置構造と水平に設置できる４脚水平設置構造を提供する事にある。
【０００７】
【課題を解決するための手段】
本発明の４脚安定設置構造は、工作物を４脚にて支持する構造において、円弧を有する湾曲部で連結された隣り合う２脚が、円弧方向に摺動できるように工作物と接続し、相対する２脚は夫々に工作物に固着し、工作物を支持し不整地であっても前期円弧を有する湾曲部と、前記工作物の接続部が円弧方向に摺動する事により、４脚を接地させ安定設置させる構造である。
【０００８】
また、４脚水平設置構造は、前記４脚安定設置構造の工作物に固着された２脚の夫々に、高さ調整装置を装備し、４脚が安定設置後前記２箇所の高さ調整装置を用いて、工作物を水平に設置する構造である。
【０００９】
【発明の実施の形態】
４脚安定設置構造をテーブルを用いた図３で説明すれば、図３では湾曲部４で連結された２脚５Ａ、５Ｂを狭く表示しテーブルでは工作物にあたる甲板に固着された２脚６Ａ、６Ｂを広く表示している、図３（ａ）では湾曲部４で連結された一方の脚５Ａが他の３脚より高さｈ分高くなっている、この場合通常のテーブルでは脚５Ｂ、６Ａのいずれか一方または両方が接地できずにガタツクが、本発明の４脚安定設置構造では湾曲部４が脚５Ｂ方向に脚が接地するまで摺動して、４脚を接地させ安定設置させる。
【００１０】
図３（ｂ）では、固着された脚の一方６Ａが高さｈ分高くなっている、この場合甲板１は傾斜してしまうが、湾曲部４が脚５Ａ方向に摺動して４脚を接地させ安定設置させる、同様にたとえ４脚すべての高さが違っていても、湾曲部４が円弧方向に摺動する事で４脚を接地させ安定設置させる事ができる。
【００１１】
４脚水平設置構造は、４脚を安定設置後に工作物を水平に設置する構造で図３で説明すれば、図３（ａ）では湾曲部４で連結された脚５Ａ、５Ｂ間は水平であるが甲板１に固着された脚６Ａ、６Ｂ間よりｈ／２高くなっているので、甲板１に固着された脚６Ａ、６Ｂを夫々の高さ調節装置７でｈ／２高くして甲板１を水平にする、図３（ｂ）では甲板１に固着された脚６Ａがｈ高いので高さ調整装置７でｈ低くして甲板１を水平にする、同様に甲板１がどの方向に傾斜していても、甲板１に固着された脚６Ａ、６Ｂに装着された夫々の高さ調節装置７で高さを調整する事で水平にできる。
【００１２】
【実施例】
本発明の４脚安定設置構造の実施例を図に基ずき説明すれば、図１は４脚安定設置構造をテーブルに用いた例であり、凸円弧を有する湾曲部４で連結された脚５Ａ、５Ｂが前記湾曲面４の凸円弧と同円の凹円弧で形成された幕板２と、前記湾曲面４を嵌通させ円弧方向にのみ摺動可能とする案内部３に接続されており、案内部３の下部には脚部固定装置８が装備され、他方の脚６Ａ、６Ｂはテーブルでは工作物にあたる甲板１に固着されている。
【００１３】
図２は本発明の４脚水平設置構造をテーブルに用いた例であり、前記４脚安定構造の甲板１に固着された脚６Ａ、６Ｂの下部に高さ調節装置７が装備されている。
【００１４】
図１、図２では円弧を有する湾曲部４の凸円弧に対する幕板２は凹円弧になっているが、図４（ａ）のように湾曲部４が凹円弧で幕板２が凸円弧でも良い、図４（ｂ）に一例を示すように、湾曲部４の円弧は全面で無く接続部１０との間に空間があっても良い、また図４（ｃ）に一例を示すように湾曲部４が離れていても脚ぬき部１０５で脚が連結されていれば良い、いずれ湾曲部４と幕板２または接続部１０が円弧方向に摺動可能なら他の形状でも採用可能である。
【００１５】
また、図１、図２では湾曲部４と脚５Ａ、５Ｂは逆Ｕ字形に連結されているが、脚の形状は図５（ａ）のように湾曲部４だけ、図５（ｂ）のように湾曲部４に接続部１０を長く脚状にしたもの、図５（ｃ）のように湾曲部４連結された脚５Ａ、５Ｂに接続部１０を脚状にしたものなどがあるが、湾曲部４を有する脚と幕板２または、接続部１０が摺動可能なら他の形状でも採用可能である。
【００１６】
湾曲部４と幕板２の案内部３の形状は、図６（ａ）のように幕板２の全幅に案内部３があり湾曲部４が嵌通しているもの、図６（ｂ）のように案内部３を数カ所配置したもの、図６（ｃ）のように湾曲部４と幕板２のいずれか、または両方に円弧方向に溝１０１を設けたもの、図６（ｄ）のように湾曲部４に円弧方向に細長く縦の貫通溝１０２を、幕板２の数カ所に突起物１０３を設けたものなどがあるが、湾曲部４と幕板２が外れず円弧方向に摺動可能なら他の形状での採用可能である。
【００１７】
図７のように甲板１に固着された脚６Ａ、６Ｂはデザイン、生産性を考慮し湾曲部４で連結された脚５Ａ、５Ｂと同型状でも良いが、幕板２とともに甲板１に固着しなければならない。
【００１８】
脚部固定装置８は安定設置または水平設置後に使用し、甲板１が動かないようにする装置であり安全上装備する事が望ましい、図１、図２では脚部固定装置を螺子式としているが、他に楔式、ばね式、カム式などあるが、湾曲部４と幕板２を固定できれば、他の方式でも採用可能である。
【００１９】
４脚水平設置構造の実施例を図に基づき説明すれば、図２は４脚水平設置構造をテーブルに用いた例であり、図１の４脚安定設置構造の甲板１に固着された脚６Ａ、６Ｂの夫々の下部に高さ調整装置７を装備したものであり、図２ではアジャスター式としているが、他の方式でも採用可能であるが微調整できるものが望ましい、またその位置も下部としているが上部でも中間部でも構わない、また高さの調整巾を多くするため湾曲部４で連結された脚５Ａ、５Ｂ側の甲板１と幕板２の間にも装備しても良い。
【００２０】
他の工作物の実施例を図で示せば、図８は椅子に４脚安定設置構造を用いた一例で座板１０４と湾曲部４を同円弧とし、案内部３を２箇所配置したものである、図９はバーベーキューコンロに４脚水平設置構造を用いた一例で、コンロの正面の案内部３に湾曲部４有する脚５Ａ、５Ｂを嵌通し、他方のコンロに固着された脚６Ａ、６Ｂの下部に高さ調整装置７を装備している、図１０は脚立に４脚安定設置構造を用いた一例で、一方の梯子部の下部に湾曲部４が、梯子に固着された２箇所の案内部３と中央の脚固定装置８に嵌通し接続されている。
【００２１】
本発明の４脚安定設置構造及び４脚水平設置構造は、前記実施例以外の家具やクッキングコンロのスタンドなどのアウトドア用品、卓球台などのスポーツ設備、各種機械など４脚にて支持される構造の多くの工作物に採用可能であり、脚は各工作物の形態に合わせ金属、木材、樹脂などから選択され、その形状も四角形、多角形、円形、パイプなど多種の中から選ばれるが、いずれ円弧を有する湾曲部が円弧方向に摺動できるように、工作物の接続部または案内部と接続し、工作物を支持しなければならない。
【００２２】
【発明の効果】
以上、説明したように本発明の４脚安定設置構造は、今まで安定して設置するために浮いていた１脚もしくは対角の２脚の、高さ調整装置で脚長を調節して４脚を接地させガタツキを防いでいたが、本発明の４脚安定設置構造では工作物をただ設置するだけで、４脚が接地し安定して工作物を支持出来るようになった。
【００２３】
また、４脚水平設置構造では、今まで水平に設置するために１脚を基準にして、他の３脚の高さ調整をする作業を数回繰り返し工作物を水平にしていた、また高さ調整するたび脚間を移動していたが、工作物に固着された２脚に装備された高さ調節装置を調節するだけで、簡単に工作物を水平に支持出来るようになった、また２脚が両手の届く範囲であれば、脚間を移動する必要も無く短時間で設置できるようになった。
【図面の簡単な説明】
【図１】４脚安定設置構造を用いたテーブルの斜視図。
【図２】４脚水平設置構造を用いたテーブルの斜視図。
【図３】本発明の形態をテーブルを例に用いた説明図。
【図４】湾曲部で連結された脚と幕板、接続部の実施例の側面図。
【図５】湾曲部で連結された脚と幕板、接続部の実施例の側面図。
【図６】湾曲部と案内部の実施例の側面図
【図７】甲板に固着された脚の実施例の斜視図。
【図８】４脚安定設置構造を用いた椅子の斜視図。
【図９】４脚水平設置構造を用いたバーベーキューコンロの斜視図。
【図１０】４脚安定設置構造を用いた脚立の斜視図。
【符号の説明】
１    甲板
２    幕板
３    案内部
４    湾曲部
５    湾曲部で連結された脚
６    甲板または工作物に固着された脚
７    高さ調整装置
８    脚部固定装置
９    工作物
１０  接続部
【図１】
0003594299.tif 000002
【図２】
0003594299.tif 000003
【図３】
0003594299.tif 000004
【図４】
0003594299.tif 000005
【図５】
0003594299.tif 000006
【図６】
0003594299.tif 000007
【図７】
0003594299.tif 000008
【図８】
0003594299.tif 000009
【図９】
0003594299.tif 000010
【図１０】
0003594299.tif 000011